【手続補正書】
【提出日】平成17年1月25日(2005.1.25)
【手続補正１】
【補正対象書類名】明細書
【補正対象項目名】発明の名称
【補正方法】変更
【補正の内容】
【発明の名称】レンズ装置及びカメラシステム
【手続補正２】
【補正対象書類名】明細書
【補正対象項目名】特許請求の範囲
【補正方法】変更
【補正の内容】
【特許請求の範囲】
【請求項１】
カメラに装着されるレンズ装置において、
光学手段を手動で駆動する手動操作部材と、
該手動操作部材の操作を検知する検知手段と、
前記光学手段を電動で駆動する駆動手段と、
前記カメラと前記レンズ装置間の通信を行なう通信手段と、
第１のモードにおいて前記カメラから前記レンズ装置へ前記通信手段により送信される駆動制御信号により前記駆動手段を介して前記光学手段の駆動を制御するとともに、第２のモードにおいて前記手動操作部材の手動操作による前記光学手段の駆動を許容する制御手段と、
前記第１のモードもしくは前記第２のモードの設定状態を記憶するモード記憶手段を有し、
前記第１のモードが設定されているときに前記検知手段が前記手動操作部材の手動操作を検知した場合、前記制御手段は前記第２のモードに設定し、前記カメラより送信される前記駆動制御信号に基づく駆動を行なわないことを特徴とするレンズ装置。
【請求項２】
前記モード記憶手段に記憶された設定状態を表示する表示手段を有し、
前記第１のモードが設定されているときに前記検知手段が前記手動操作部材の手動操作を検知した場合、前記制御手段は前記第２のモードに設定し、前記カメラより送信される前記駆動制御信号に基づく駆動を行なわないとともに、前記モード記憶手段での設定状態を前記第１のモードから前記第２のモードに変更してこの設定状態を前記表示手段に表示することを特徴とする請求項１に記載のレンズ装置。
【請求項３】
前記第１のモードが設定されているときに前記検知手段が前記手動操作部材の手動操作を検知した場合、前記制御手段は前記第２のモードに設定し、前記カメラより送信される前記駆動制御信号に基づく駆動を行なわないとともに、前記モード記憶手段での設定状態を前記第１のモードから前記第２のモードに変更し、該モードの変更に関する情報を前記通信手段により前記カメラに送信することを特徴とする請求項１または２に記載のレンズ装置。
【請求項４】
カメラに装着されるレンズ装置において、
光学手段を手動で駆動する手動操作部材と、
該手動操作部材の操作を検知する検知手段と、
前記光学手段を電動で駆動する駆動手段と、
前記カメラと前記レンズ装置間の通信を行なう通信手段と、
第１のモードにおいて前記カメラから前記レンズ装置へ前記通信手段により送信される駆動制御信号により前記駆動手段を介して前記光学手段の駆動を制御するとともに、第２のモードにおいて前記手動操作部材の手動操作による前記光学手段の駆動を許容する制御手段と、
前記第１のモードもしくは前記第２のモードの設定状態を記憶するモード記憶手段を有し、
前記第２のモードが設定されているときに前記カメラから前記レンズ装置へ前記駆動制御信号が送信された場合、前記制御手段は前記第１のモードに設定することを特徴とするレンズ装置。
【請求項５】
前記モード記憶手段に記憶された設定状態を表示する表示手段を有し、
前記第２のモードが設定されているときに前記カメラから前記レンズ装置へ前記駆動制御信号が送信された場合、前記制御手段は前記第１のモードに設定するとともに、前記モード記憶手段での設定状態を前記第２のモードから前記第１のモードに変更してこの設定状態を前記表示手段に表示することを特徴とする請求項４に記載のレンズ装置。
【請求項６】
前記第２のモードが設定されているときに前記カメラから前記レンズ装置へ前記駆動制御信号が送信された場合、前記制御手段は前記第１のモードを設定するとともに、前記モード記憶手段での設定状態を前記第２のモードから前記第１のモードに変更し、該モードの変更に関する情報を前記通信手段により前記カメラに送信することを特徴とする請求項４または５に記載のレンズ装置。
【請求項７】
アクセサリが装着されるレンズ装置において、
光学手段を手動で駆動する手動操作部材と、
該手動操作部材の操作を検知する検知手段と、
前記光学手段を電動で駆動する駆動手段と、
前記アクセサリと前記レンズ装置間の通信を行なう通信手段と、
第１のモードにおいて前記アクセサリから前記レンズ装置へ前記通信手段により送信される駆動制御信号により前記駆動手段を介して前記光学手段の駆動を制御するとともに、第２のモードにおいて前記手動操作部材の手動操作による前記光学手段の駆動を許容する制御手段と、
前記第１のモードもしくは前記第２のモードの設定状態を記憶するモード記憶手段を有し、
前記第１のモードが設定されているときに前記検知手段が前記手動操作部材の手動操作を検知した場合、前記制御手段は前記第２のモードに設定し、前記アクセサリより送信される前記駆動制御信号に基づく駆動を行なわないことを特徴とするレンズ装置。
【請求項８】
前記モード記憶手段に記憶された設定状態を表示する表示手段を有し、
前記第１のモードが設定されているときに前記検知手段が前記手動操作部材の手動操作を検知した場合、前記制御手段は前記第２のモードに設定し、前記アクセサリより送信される前記駆動制御信号に基づく駆動を行なわないとともに、前記モード記憶手段での設定状態を前記第１のモードから前記第２のモードに変更してこの設定状態を前記表示手段に表示することを特徴とする請求項７に記載のレンズ装置。
【請求項９】
前記第１のモードが選択されているときに前記検知手段が前記手動操作部材の手動操作を検知した場合、前記制御手段は前記第２のモードに設定し、前記アクセサリより送信される前記駆動制御信号に基づく駆動を行なわないとともに、前記モード記憶手段での設定状態を前記第１のモードから前記第２のモードに変更し、該モードの変更に関する情報を前記通信手段により前記アクセサリに送信することを特徴とする請求項７または８に記載のレンズ装置。
【請求項１０】
アクセサリが装着されるレンズ装置において、
光学手段を手動で駆動する手動操作部材と、
該手動操作部材の操作を検知する検知手段と、
前記光学手段を電動で駆動する駆動手段と、
前記アクセサリと前記レンズ装置間の通信を行なう通信手段と、
第１のモードにおいて前記アクセサリから前記レンズ装置へ前記通信手段により送信される駆動制御信号により前記駆動手段を介して前記光学手段の駆動を制御するとともに、第２のモードにおいて前記手動操作部材の手動操作による前記光学手段の駆動を許容する制御手段と、
前記第１のモードもしくは前記第２のモードの設定状態を記憶するモード記憶手段を有し、
前記第２のモードが設定されているときに前記アクセサリから前記制御手段へ前記駆動制御信号が送信された場合、前記制御手段は前記第１のモードに設定することを特徴とするレンズ装置。
【請求項１１】
前記モード記憶手段に記憶された設定状態を表示する表示手段を有し、
前記第２のモードが設定されているときに前記アクセサリから前記レンズ装置へ前記駆動制御信号が送信された場合、前記制御手段は前記第１のモードに設定するとともに、前記モード記憶手段での設定状態を前記第２のモードから前記第１のモードに変更してこの設定状態を前記表示手段に表示することを特徴とする請求項１０に記載のレンズ装置。
【請求項１２】
前記第２のモードが設定されているときに前記アクセサリから前記レンズ装置へ前記駆動制御信号が送信された場合、前記制御手段は前記第１のモードに設定定するとともに、前記モード記憶手段での設定状態を前記第２のモードから前記第１のモードに変更し、該モードの変更に関する情報を前記通信手段により前記アクセサリに送信することを特徴とする請求項１０または１１に記載のレンズ装置。
【請求項１３】
請求項１乃至１２のいずれか１つに記載のレンズ装置と、該レンズ装置が装着されるカメラとを有することを特徴とするカメラシステム。
【手続補正３】
【補正対象書類名】明細書
【補正対象項目名】０００６
【補正方法】変更
【補正の内容】
【０００６】
【課題を解決するための手段】
本願第１の発明であるレンズ装置は、カメラに装着されるレンズ装置において、光学手段を手動で駆動する手動操作部材と、該手動操作部材の操作を検知する検知手段と、前記光学手段を電動で駆動する駆動手段と、前記カメラと前記レンズ装置間の通信を行なう通信手段と、第１のモードにおいて前記カメラから前記レンズ装置へ前記通信手段により送信される駆動制御信号により前記駆動手段を介して前記光学手段の駆動を制御するとともに、第２のモードにおいて前記手動操作部材の手動操作による前記光学手段の駆動を許容する制御手段と、前記第１のモードもしくは前記第２のモードの設定状態を記憶するモード記憶手段を有する。前記第１のモードが設定されているときに前記検知手段が前記手動操作部材の手動操作を検知した場合、前記制御手段は前記第２のモードに設定し、前記カメラより送信される前記駆動制御信号に基づく駆動を行なわないことを特徴とする。
【手続補正４】
【補正対象書類名】明細書
【補正対象項目名】０００７
【補正方法】変更
【補正の内容】
【０００７】
本願第２の発明であるレンズ装置は、カメラに装着されるレンズ装置において、光学手段を手動で駆動する手動操作部材と、該手動操作部材の操作を検知する検知手段と、前記光学手段を電動で駆動する駆動手段と、前記カメラと前記レンズ装置間の通信を行なう通信手段と、第１のモードにおいて前記カメラから前記レンズ装置へ前記通信手段により送信される駆動制御信号により前記駆動手段を介して前記光学手段の駆動を制御するとともに、第２のモードにおいて前記手動操作部材の手動操作による前記光学手段の駆動を許容する制御手段と、前記第１のモードもしくは前記第２のモードの設定状態を記憶するモード記憶手段を有する。前記第２のモードが設定されているときに前記カメラから前記レンズ装置へ前記駆動制御信号が送信された場合、前記制御手段は前記第１のモードに設定することを特徴とする。
【手続補正５】
【補正対象書類名】明細書
【補正対象項目名】０００８
【補正方法】変更
【補正の内容】
【０００８】
本願第３の発明であるレンズ装置は、アクセサリが装着されるレンズ装置において、光学手段を手動で駆動する手動操作部材と、該手動操作部材の操作を検知する検知手段と、前記光学手段を電動で駆動する駆動手段と、前記アクセサリと前記レンズ装置間の通信を行なう通信手段と、第１のモードにおいて前記アクセサリから前記レンズ装置へ前記通信手段により送信される駆動制御信号により前記駆動手段を介して前記光学手段の駆動を制御するとともに、第２のモードにおいて前記手動操作部材の手動操作による前記光学手段の駆動を許容する制御手段と、前記第１のモードもしくは前記第２のモードの設定状態を記憶するモード記憶手段を有する。前記第１のモードが設定されているときに前記検知手段が前記手動操作部材の手動操作を検知した場合、前記制御手段は前記第２のモードに設定し、前記アクセサリより送信される前記駆動制御信号に基づく駆動を行なわないことを特徴とする。
【手続補正６】
【補正対象書類名】明細書
【補正対象項目名】０００９
【補正方法】変更
【補正の内容】
【０００９】
本願第４の発明であるレンズ装置は、アクセサリが装着されるレンズ装置において、光学手段を手動で駆動する手動操作部材と、該手動操作部材の操作を検知する検知手段と、前記光学手段を電動で駆動する駆動手段と、前記アクセサリと前記レンズ装置間の通信を行なう通信手段と、第１のモードにおいて前記アクセサリから前記レンズ装置へ前記通信手段により送信される駆動制御信号により前記駆動手段を介して前記光学手段の駆動を制御するとともに、第２のモードにおいて前記手動操作部材の手動操作による前記光学手段の駆動を許容する制御手段と、前記第１のモードもしくは前記第２のモードの設定状態を記憶するモード記憶手段を有する。前記第２のモードが設定されているときに前記アクセサリから前記制御手段へ前記駆動制御信号が送信された場合、前記制御手段は前記第１のモードに設定することを特徴とする。
【手続補正７】
【補正対象書類名】明細書
【補正対象項目名】００１０
【補正方法】変更
【補正の内容】
【００１０】
上記第１の発明において、前記モード記憶手段に記憶された設定状態を表示する表示手段を有し、前記第１のモードが設定されているときに前記検知手段が前記手動操作部材の手動操作を検知した場合、前記制御手段は前記第２のモードに設定し、前記カメラより送信される前記駆動制御信号に基づく駆動を行なわないとともに、前記モード記憶手段での設定状態を前記第１のモードから前記第２のモードに変更してこの設定状態を前記表示手段に表示することができる。
【手続補正８】
【補正対象書類名】明細書
【補正対象項目名】００１１
【補正方法】変更
【補正の内容】
【００１１】
上記第１の発明において、前記第１のモードが設定されているときに前記検知手段が前記手動操作部材の手動操作を検知した場合、前記制御手段は前記第２のモードに設定し、前記カメラより送信される前記駆動制御信号に基づく駆動を行なわないとともに、前記モード記憶手段での設定状態を前記第１のモードから前記第２のモードに変更し、該モードの変更に関する情報を前記通信手段により前記カメラに送信することができる。
【手続補正９】
【補正対象書類名】明細書
【補正対象項目名】００１２
【補正方法】変更
【補正の内容】
【００１２】
上記第２の発明において、前記モード記憶手段に記憶された設定状態を表示する表示手段を有し、前記第２のモードが設定されているときに前記カメラから前記レンズ装置へ前記駆動制御信号が送信された場合、前記制御手段は前記第１のモードに設定するとともに、前記モード記憶手段での設定状態を前記第２のモードから前記第１のモードに変更してこの設定状態を前記表示手段に表示することができる。
また、前記第２のモードが設定されているときに前記カメラから前記レンズ装置へ前記駆動制御信号が送信された場合、前記制御手段は前記第１のモードを設定するとともに、前記モード記憶手段での設定状態を前記第２のモードから前記第１のモードに変更し、該モードの変更に関する情報を前記通信手段により前記カメラに送信することができる。
【手続補正１０】
【補正対象書類名】明細書
【補正対象項目名】００１３
【補正方法】変更
【補正の内容】
【００１３】
本発明のカメラシステムは、上述したレンズ装置と、このレンズ装置が装着されるカメラとを有する。